(57)【要約】      （修正有）【課題】一つの搬送装置で大小様々な物品を搬送することのできる搬送装置とそれを搭載した組合せ計量装置を提供する。【解決手段】搬送装置３は、大きさの異なる少なくとも２種類の物品を搬送することのできる搬送トラフと、搬送トラフを振動させて、トラフ上の物品を搬送させる振動機構３２とを備える。搬送トラフは、横断面形状がＷ字状に形成され、Ｗ字状を形成する２つのＶ字溝がそれぞれのＶ字溝内に小さい種類の物品を留めておく深さを有する。また、それぞれのＶ字溝の外側壁は、両Ｖ字溝を跨ぐ大きさの物品を両外側壁内に留めておく高さを有する。組合せ計量装置１００は、複数の計量ホッパＷＨａ、ＷＨｂと、各計量ホッパに物品を個別に供給する上記搬送装置と、各計量ホッパに供給された物品の計量値に基づいて最適な組合せを求める制御部とを備える。【選択図】図１
0003198972.tif 000002
【実用新案登録請求の範囲】
【請求項１】
大きさの異なる少なくとも２種類の物品を搬送することのできる搬送トラフと、該搬送トラフを振動させて、該トラフ上の物品を搬送させる振動機構とを備え、前記搬送トラフの搬送方向と直交する方向の横断面形状がＷ字状に形成され、そのＷ字状を形成する２つのＶ字溝がそれぞれのＶ字溝内に小さい種類の物品を留めておく深さに形成され、かつ、それぞれのＶ字溝の外側壁が、両Ｖ字溝を跨ぐ大きさの物品を両外側壁内に留めておく高さに形成されていることを特徴とする搬送装置。
【請求項２】
前記物品を前記搬送トラフに供給する供給フィーダと、該供給フィーダから排出される物品を前記搬送トラフの一方のＶ字溝側に偏らせて供給する傾斜シュートとを備えていることを特徴とする請求項１に記載の搬送装置。
【請求項３】
前記搬送トラフの始端部に、前記傾斜シュートから供給される物品を受け取って排出する床が設けられ、該床から排出される物品が前記一方のＶ字溝側に先行して排出されるように、前記床の排出エッジが、前記Ｖ字溝を斜めに横断する方向に形成されていることを特徴とする請求項２に記載の搬送装置。
【請求項４】
複数の計量ホッパと、各計量ホッパに物品を個別に供給する搬送装置と、各計量ホッパに供給された物品の計量値に基づいて最適な組合せを求める制御部とを備えた組合せ計量装置であって、前記搬送装置が請求項１乃至３の何れかに記載の搬送装置であることを特徴とする組合せ計量装置。
【請求項５】
複数の前記計量ホッパとそれらに対応させた前記搬送装置とが、放射状に、或いは、一方向に横並びに配列されていることを特徴とする請求項４に記載の組合せ計量装置。
【考案の詳細な説明】
【技術分野】
【０００１】
本考案は、工業的に量産される各種サイズの成形部品を搬送することのできる搬送装置と、それを搭載した組合せ計量装置に関する。
【背景技術】
【０００２】
工業的に量産された同一形状の成形部品（以下、物品という）を一定量（一定の質量又は一定の個数）に計量する場合は、通常、組合せ計量装置が用いられる。この組合せ計量装置は、多数の物品を複数の経路に小分けした後、各経路の先端下部に設けた計量ホッパで物品を計量し、得られた各計量値（質量又はそれを単体質量で除算して得られる個数）を組合せて最適組合せを選択し、選択された最適組合せに係る計量ホッパから物品を排出収集することによって、一定量の物品を得るようにしたものである。
【０００３】
こうした組合せ計量装置において、小分けされた物品の搬送装置としては、例えば、下記特許文献に記載のものが知られている。特許文献１に記載のものは、搬送トラフの底面をＶ字溝に成形したものである。このタイプの搬送装置では、搬送される物品を中央のＶ字溝に集めて整列させることができるから、特に、細長い物品を整列搬送させる場合に適する。また、特許文献２に記載のものは、これとは逆に、搬送トラフの底面中央を山形に盛り上げたもので、特に扁平なものを拡散させながら搬送する場合に適する。
【先行技術文献】
【特許文献】
【０００４】
【特許文献１】実公平１−９７７９号公報
【特許文献２】実開昭６４−４００３０号公報
【考案の概要】
【考案が解決しようとする課題】
【０００５】
このように、従来の搬送装置は、物品の形状や大きさに合わせて搬送トラフを設計していたので、同一の組合せ計量装置の下で、形状やサイズの異なる物品をロット単位で切り替えて計量する場合は、それぞれに合った搬送装置と交換しなければならない煩わしさがあった。  
【０００６】
本考案は、この問題を解決したもので、一つの搬送装置で大小様々な物品を搬送することのできる搬送装置と、それを搭載した組合せ計量装置を提供することを課題とする。
【課題を解決するための手段】
【０００７】
本考案に係る搬送装置は、大きさの異なる少なくとも２種類の物品を搬送することのできる搬送トラフと、該搬送トラフを振動させて、該トラフ上の物品を搬送させる振動機構とを備え、前記搬送トラフの搬送方向と直交する方向の横断面形状がＷ字状に形成され、そのＷ字状を形成する２つのＶ字溝が、それぞれのＶ字溝内に小さい種類の物品を留めておく深さに形成され、かつ、それぞれのＶ字溝の外側壁が、両Ｖ字溝を跨ぐ大きさの物品を両外側壁内に留めておく高さに形成されていることを特徴とする。
【０００８】
ここで扱う物品は、例えば、樹脂製容器に採血針が組み込まれた小さな成形部品と、注射器サイズの樹脂製の採血器具であるが、本考案で搬送する物品は、これらには限定されない。
【０００９】
前者の小さい物品を搬送トラフに供給すると、各物品は、２つのＶ字溝に留まって搬送されるから、小さい物品に対しては、搬送トラフは、２条の搬送路となる。これに対し、大きい物品は、横並び状態では、片方のＶ字溝しか収まらないように設計されているから大きい物品に対しては、搬送トラフが一条の搬送路となる。したがって、これらの物品を切り替えて搬送する場合でも、この搬送トラフだけで搬送することが可能になる。
【００１０】
ところで、この搬送装置を、組合せ計量装置の各ホッパへ物品を供給するための供給装置として組み込むときは、この搬送装置からホッパへの物品供給量を所定量に絞り込む必要がある。
【００１１】
そこで、本考案に係る搬送装置は、さらに前記物品を前記搬送トラフに供給する供給フィーダと、該供給フィーダから排出される物品を前記搬送トラフの片方のＶ字溝側に偏らせて供給する傾斜シュートとを備えたことを特徴とする。
【００１２】
これにより、搬送トラフに供給された物品は、片方のＶ字溝に偏って供給されるから、片方のＶ字溝がメイン搬送路となる。また、そこから溢れ出た物品は、他方のＶ字溝に流れ込んで搬送されるから、他方のＶ字溝がサブ搬送路となる。したがって、メイン搬送路からの物品供給量を加減するだけで、搬送トラフからの供給量を適正な範囲に制御することができるから、組合せ計量装置に使用することができる。また、メイン搬送路の物品堆積量が粗密になると、そこからの物品供給が途切れることがあるが、そうした場合でも、サブ搬送路がそれを補うように物品を供給するから、搬送トラフからの物品供給量を安定させることができる。
【００１３】
さらに、本考案に係る搬送装置は、前記搬送トラフの始端部に、前記傾斜シュートから供給された物品を受け取って前記Ｖ字溝へ排出する床が設けられ、該床から排出される物品が前記片方のＶ字溝側に先行して排出されるように、前記床の排出エッジが、前記Ｖ字溝を斜めに横断する方向に形成されていることを特徴とする。
【００１４】
これにより、床に供給された物品をメイン搬送路側に多く供給しながら、残った一部の物品をサブ搬送路に供給することができるから、メイン搬送路からの物品供給量をコントロールするだけ、搬送トラフからの物品供給量を安定させることができる。
【００１５】
また、本考案に係る組合せ計量装置は、複数の計量ホッパと、各計量ホッパに物品を個別に供給する搬送装置と、各計量ホッパに供給された物品の計量値に基づいて最適な組合せを求める制御部とを備えた組合せ計量装置であって、前記搬送装置として前述の搬送装置を用いることを特徴とする。
【００１６】
これにより、小さい物品や大きい物品であっても、それらを複数のホッパに適量ずつ供給することができるから、各ホッパに供給された物品の質量に基づいて所定質量の最適組合せを求めたり、その質量を単体質量で除算することによって、所定個数の最適組合せを求めたりすることができる。したがって、小さい物品や大きい物品を所定個数にして袋詰めにする場合でも、この組合せ計量装置を使用することによって可能となる。
【００１７】
また、本考案に係る組合せ計量装置において、複数の前記計量ホッパとそれらに対応させた前記搬送装置とが、放射状に、或いは、一方向に横並びに配列されていることを特徴とする。
【００１８】
複数の搬送装置を放射状に配列する場合は、中央の分散フィーダを取り囲むように、それらを分散フィーダの周囲に放射状に配列して分散フィーダから各搬送装置に物品を供給するように構成する。また、一方向に横並びに配列する場合は、物品を溜め込んだホッパから直接複数の供給トラフ上に物品を排出し、それらの供給トラフを介して各搬送装置へ物品を供給するように構成する。
【００１９】
これにより、工場のレイアウトに応じて搬送装置を円形に配列した組合せ計量装置や一方向に配列した組合せ計量装置を選択することができる。
【考案の効果】
【００２０】
本考案によれば、一つの搬送装置で大きな物品から小さな物品までを整列搬送することができるから、物品に応じた搬送トラフの交換が不要となる。したがって、今まで以上に安価な搬送装置とそれを搭載した安価な組合せ計量装置を市場に提供することができる。また、搬送装置を物品に応じて交換する必要がないから、サイズの異なる物品をロット単位で切り替える場合でも、リードタイムを短縮させることができる。
【図面の簡単な説明】
【００２１】
【図１】本考案に係る組合せ計量装置の一実施形態の側面図。
【図２】上記実施形態の搬送装置の配置構成を示した平面図。
【図３】上記実施形態の一つの搬送トラフの平面図。
【図４】上記搬送トラフの側面図。
【図５】上記搬送トラフの正面図。
【図６】図４の矢印方向から見たＢＢ断面図。
【図７】上記実施形態の構成ブロック図。
【図８】他の実施形態に係る搬送トラフの平面図。
【図９】上記他の実施形態の正面図。
【図１０】上記搬送トラフの別な実施形態の平面図。
【図１１】円形配列の本考案に係る組合せ計量装置の一実施形態の配置構成図。
【図１２】円形配列の上記実施形態で使用される搬送トラフの側面図。
【図１３】図１２の搬送トラフの正面図。
【考案を実施するための形態】
【００２２】
以下、図面を参照しながら、本考案の一実施形態を説明する。なお、以下に示す実施形態は、本考案の技術的範囲を限定するものではない。
【００２３】
図１は、複数の搬送装置を一方向に横並びに配列した組合せ計量装置の一実施形態に係る装置側面図であり、図２は、その装置の、特に搬送装置の配置構成を示した平面図である。
【００２４】
これらの図において、組合せ計量装置１００は、物品を蓄えるチャージホッパＣＨと、チャージホッパＣＨから排出される物品を下流へ送り出す８基の供給フィーダ１と、各供給フィーダ１から排出される物品を一方向に偏らせる８個の傾斜シュート２と、各傾斜シュート２から滑落してきた物品を下流へと搬送する８基の搬送装置３と、各搬送装置３から排出された物品を受け取って排出する８個のプールホッパＰＨと、プールホッパＰＨから排出された物品を受け取って計量する８対の計量ホッパＷＨとを備えている。
【００２５】
供給フィーダ１、傾斜シュート２、搬送装置３、プールホッパＰＨ、計量ホッパＷＨの各々は、紙面と直交する方向に横並びに８列配列されているが、チャージホッパＣＨは、各供給フィーダ１に跨る一つのホッパとして構成されている。ただし、８列は一例であって、その数は、必要に応じて増減される。また、図２では、供給フィーダ１、傾斜シュート２、搬送装置３の配列状態を示しているが、チャージホッパＣＨ、プールホッパＰＨ，計量ホッパＷＨ等は、省略している。
【００２６】
チャージホッパＣＨは、８列の各供給フィーダ１に被さる大きさのホッパであって、その上面は開放され、底面には、各供給フィーダ１に臨む８個の排出口が形成されている。そして、チャージホッパＣＨに投入された物品は、底面の各排出口から供給フィーダ１上に供給される。そして、供給フィーダ１の振動によって物品が下流側へ搬送されると、供給フィーダ１上の空いた空間を埋めるように、チャージホッパＣＨの排出口から物品が排出される。
【００２７】
供給フィーダ１は、供給トラフ１１と、それを長手方向に沿って斜め上下方向に振動させる周知構成の電磁式振動機構１２とを備え、該振動機構１２が振動することにより、供給トラフ１１上の物品を搬送装置３側へ搬送するように構成されている。
【００２８】
供給トラフ１１は、三方が側壁に囲まれた樋状のもので、長手方向に伸びる両側壁は、図２に示すように、一方の側壁１３上部が、他方の供給トラフ１１の側壁１４に覆いかぶさって、隣り合う供給トラフ１１間から物品が零れ落ちないようになっている。また、両側壁１３、１４の先端部は、先端に行く程、高さが漸次低くなるように形成されている。
【００２９】
傾斜シュート２は、供給フィーダ１から排出される物品を搬送装置３の一方のＶ字溝３４ａへ寄せるもので、搬送方向に伸びる両側壁２１、２２と、それらと繋がって一方の側壁２２から下り傾斜に伸びるシュート２３とで構成されており、そのシュート２３で物品を片方の側壁２１側へ寄せるように形成されている。
【００３０】
図２において、各搬送装置３の始端部に配置される傾斜シュート２は、図示しないブラケットに一体的に連結されて、供給トラフ１の先端部と搬送装置３とに接触しないように図示しない装置フレームに取り付けられている。また、傾斜シュート２の前方上方には、物品の堆積量を検出する反射型の光センサ１５（図１参照）が取り付けられ、そのセンサ１５が検出した堆積量に基づいて、上流側の供給フィーダ１がＯＮ／ＯＦＦ制御されるように構成されている。
【００３１】
搬送装置３は、搬送トラフ３１と、それを長手方向に沿って斜め上下方向に振動させる周知構成の電磁式振動機構３２とを備え、該振動機構３２が振動することにより、搬送トラフ３１上の物品がプールホッパＰＨ側へ搬送されるようになっている。
【００３２】
図３は搬送トラフ３１の平面図、図４はその側面図、図５はその正面図、図６は図４の矢印方向から見たＢ−Ｂ断面図を示す。これらの図において、搬送トラフ３１は、三方が側壁に囲まれた樋状のもので、搬送方向と直交する方向の横断面形状が、図５のようにＷ字状に形成され、そのＷ字状の２つのＶ字溝３３ａ、３３ｂがそれぞれのＶ字溝３３ａ、３３ｂ内に小さい種類の物品Ｓを留めておく深さｄに形成され、かつ、それぞれの外側壁３４ａ、３４ｂが、両Ｖ字溝３３ａ、３３ｂを跨ぐような大きさの物品Ｌ（図６参照）を両外側壁３４ａ、３４ｂ内に留めておく高さｈに形成されている。
【００３３】
また、各外側壁３４ａ、３４ｂは、図３、図５、図６に示すように、先端に行く程、幅が狭くなり、かつ、その傾斜角度が次第に急峻となるように立ち上げられている。図３〜図５に示す符号３５ａ、３５ｂは、その折り曲げ部分を示す。これにより、始端部において広がった物品は、先端部に搬送されるに連れて次第にＷ字状の外側壁３４ａ、３４ｂの傾斜角度が急峻になることから、各Ｖ字溝３３ａ、３３ｂ内で搬送される物品は、先端部に進むに連れて次第に一列縦隊となっていく。
【００３４】
さらに、搬送トラフ３１の始端部には、傾斜シュート２から供給される物品を受け取って排出する床３６が設けられ、その床３６から排出される物品が一方のＶ字溝３３ａ側に先行して排出されるように、その床３６の排出エッジ３６ｅが、各Ｖ字溝３３ａ、３３ｂを斜めに横断する方向に形成されている。
【００３５】
また、その始端部の搬送トラフ３１の底面側には、補強板３７が取り付けられ、その補強板３７の下面に振動機構３２と連結されるフランジ付きプレート３８が取り付けられている。このプレート３８は、搬送方向に長い長円形をしており、そのプレート３８を振動機構３２のフランジ付きプレート上に設置して、上下に合わさったフランジを上下から挟んで締め付ける締め付けバンドで強固に連結されるようになっている。この締め付けバンドとしては、例えば、特許第３４８５６３０号公報に開示されたものを使用することができる。
【００３６】
プールホッパＰＨは、両開き式の開閉ゲートを備えた周知構成のもので、この実施形態では、対向する一対の開閉ゲートが紙面に向かって左右方向に独立して開閉するようになっている。また、その下方には、一対の計量ホッパＷＨが設けられて、それぞれの計量ホッパＷＨに供給された物品の質量を計測して、後述の制御部４に出力するようになっている。したがって、この実施形態では、上方のプールホッパＰＨと、その下方に配置された左右一対の計量ホッパＷＨａ、ＷＨｂとが、それぞれ紙面と直交する方向に８列で横並びに配置されている。
【００３７】
図７は、上記実施形態の制御系の構成ブロック図の一例を示す。この図において、制御部４は、コンピュータで構成され、横並びに配置された各列の光センサ１５、供給フィーダ１、搬送装置３、プールホッパＰＨ、計量ホッパＷＨａ、ＷＨｂ、操作ユニット４１と電気的に接続されている。
【００３８】
制御部４は、光センサ１５から物品の堆積量を入力し、入力した堆積量に応じて対応する供給フィーダ１をＯＮ／ＯＦＦ制御する。また、計量ホッパＷＨａ、ＷＨｂからは、計量値を入力し、入力した各計量値を組合せて最適な組合せを選択する。また、計量ホッパＷＨａ、ＷＨｂ毎の計量値の平均値を算出し、その平均値に基づいて、対応する搬送装置３の搬送力を調整する。すなわち、毎回の供給量が最適値となるように、振動機構３２の振動時間と振動強度を調整する。さらに、一方の計量ホッパＷＨａ（ＷＨｂ）のゲートを開閉させて物品を排出させると、それと対応する側のプールホッパＰＨのゲートを開閉させる。
【００３９】
操作ユニット４１は、タッチパネル機能を備えた入出力装置で構成され、それを操作することにより、組合せ計量装置１００に対する各種の設定操作や運転開始、停止等の操作ができるようになっている。こうした組合せ計量装置の構成は、公知であるため、ここでは、それらの詳細な説明は省略する。
【００４０】
次に、この実施形態に係る組合せ計量装置１００を使用して、小さい種類の物品を一定量に計量する場合について説明する。
まず、チャージホッパＣＨに小さい種類の物品を投入して、組合せ計量装置１００を駆動させる。すると、制御部４は、最初に各計量ホッパＷＨａ、Ｗｈｂの計量値を入力し、それが所定値以下であると、それらの計量ホッパは空であると認識して、空の計量ホッパに対応するプールホッパＰＨを駆動させる。続いて、それに対応する搬送装置３と供給フィーダ１を駆動させる。すると、プールホッパＰＨの対応するゲートが開閉し、続いて、対応する搬送装置３と供給フィーダ１が所定時間振動して、チャージホッパＣＨから排出された物品が下流側へと搬送される。しかし、運転開始直後は、プールホッパＰＨ、搬送装置３、供給フィーダ１には、物品が供給されていないから、それらに物品が供給されるまで、以上の動作を各列において繰り返す。
【００４１】
そして、供給フィーダ１から搬送装置３に物品が供給されるようになると、傾斜シュート２の前方には、物品が堆積するから、制御部４は、その堆積量を光センサ１５から入力し、その堆積量に基づいて供給フィーダ１をＯＮ／ＯＦＦ制御する。すなわち、堆積量が少ない間は、供給フィーダ１を振動させて傾斜シュート２へ物品を供給させるが、堆積量が所定値を超えれば、供給フィーダ１の振動を停止させて待機する。待機中に堆積量が所定値以下になれば、再び、供給フィーダ１を駆動させる。
【００４２】
一方、供給フィーダ１の先端部から排出された物品は、傾斜シュート２をスライドして床３６上に堆積するが、その際、傾斜シュート２がＶ字溝３３ａへ向かって傾斜しているため、物品は、図面に向かって上側のＶ字溝３３ａ側に偏って堆積する。その状態で搬送装置３の搬送トラフ３１が振動すると、Ｖ字溝３３ａ側に偏った床３６上の物品は、そのまま前進してＶ字溝３３ａに落下する。続いて、Ｖ字溝３３ｂ側に広がった少量の物品が隣のＶ字溝３３ｂに落下する。こうして、上側のＶ字溝３３ａは、物品が大量に供給されたメイン搬送路となり、下側のＶ字溝３３ｂは、物品が少量のサブ搬送路となる。
【００４３】
各Ｖ字溝３３ａ、３３ｂに供給された物品は、搬送トラフ３１の振動によって歩進的に搬送されていくが、各Ｖ字溝３３ａ、３３ｂ内の物品は、先端に行くに連れて両側壁３４ａ、３４ｂの傾斜角度が立ち上がるため、次第にＶ字溝３３ａ内で折り重なって整列していく。その際、Ｖ字溝３３ａから溢れた物品は、中央の稜線を乗り越えて隣のＶ字溝３４ｂ内に流れ込む。こうして、大量のＶ字溝３３ａと少量のＶ字溝３３ｂの２列に分かれた物品は、プールホッパＰＨが空になる度に歩進的に搬送されていく。
【００４４】
そして、プールホッパＰＨから一方の計量ホッパＷＨａ、ＷＨｂへ物品が投入されると各計量ホッパＷＨａ、ＷＨｂの計量値は、制御部４に入力され、それに基づいて組合せ演算が実行される。その際、質量自体を組合せる場合もあれば、その質量を物品の単体質量で割って個数に換算し、その個数で組合せる場合もある。
【００４５】
制御部４が、所定範囲内の目標値に最も近い最適組合せを見つけると、その組合せに該当する計量ホッパＷＨａ、ＷＨｂに駆動指令を送ってそれらのホッパから物品を排出させる。続いて、物品を排出した各計量ホッパＷＨａ、ＷＨｂと対応するプールホッパＰＨに駆動指令を送ってプールホッパＰＨから対応する計量ホッパＷＨａ、ＷＨｂに物品を供給させる。その際、一対の計量ホッパＷＨａ、ＷＨｂが共に物品を排出した場合は、何れか一方の計量ホッパＷＨａ（ＷＨｂ）だけに物品を供給し、供給されなかった計量ホッパＷＨｂ（ＷＨａ）には、次回に物品が供給される。こうして、プールホッパＰＨから物品が排出されると、制御部４は、搬送装置３を所定の搬送力で駆動して空になったプールホッパＰＨに物品を供給していく。こうした動作が毎回繰り返されて、選ばれた計量ホッパＷＨａ、ＷＨｂから所定量の物品が排出収集されていく。
【００４６】
制御部４のこうした駆動制御は、物品サイズが小から大に切り替わっても、略同じ動きをするが、大きいサイズの物品になると、特に搬送トラフ３１上での挙動が異なってくるから、その点について説明する。
【００４７】
物品の大きさが、例えば、両方のＶ字溝３３ａ、３３ｂを跨ぐような大きさの物品になると、その物品は、片方のＶ字溝３３ａ（３３ｂ）にしか収まらないから、そうした物品は、略一列縦隊になって搬送トラフ３１上を移動していく。そのため、各プールホッパＰＨには、物品が１個ずつ投入されるから、所定個数に計量する場合は、１個投入の制御がし易くなる。また、大きい物品Ｌだと、図６に示すように、Ｖ字溝３３ａ（３３ｂ）の内壁に部分的に接触するだけとなるから、接触抵抗が小さくなり、その分、小さい物品を搬送するときと同様な搬送力でもって物品を搬送することができる。したがって、大きい物品に切り替えても、搬送装置３の供給制御を大幅に変える必要はないから、トラブルを抑えることができる。
【００４８】
＜搬送トラフの第２実施形態＞
図３の搬送トラフ３１は、横断面がＷ字状の両外側壁３４ａ、３４ｂの傾斜角度を、先端に行く程急峻に立ち上がるようにしたものであるが、図８は、それらの傾斜角度を始端部から先端部まで略一定にした一例である。また、図３では、搬送トラフ３１始端部の床３６をフラットな板で形成したが、図８では、この床３６に代えて、Ｖ字溝３３ａ側をフラットな床３６ａにし、Ｖ字溝３３ｂ側は、外側壁３４ｂに向けて上り傾斜の斜面３６ｂとしている。これにより、Ｖ字溝３３ａ側に物品が偏って、Ｖ字溝３３ａがメイン搬送路となるようにしている。この実施形態でも、図３と同様な効果を奏することが確認されている。なお、図３、図８、図１０では、搬送トラフ３１の横幅を、始端部から先端部に向けて漸次狭くなるようにしているが、これは、幅を狭くすることによって装置サイズをコンパクにしたものであって、装置サイズに余裕があるときは、搬送トラフ３１の横幅を始端部から先端部まで同じ幅にしたものであっても良い。
【００４９】
＜搬送トラフの第３実施形態＞
図１０の搬送トラフ３１は、図８の床３６ａ、３６ｂに代えて、図３と同様なフラットな床３９にしたものであるが、この床３９の排出エッジ３９ｅは、図３とは違って、物品の搬送方向と直交する方向に設けている。これは、床３９の直上にある傾斜シュート２によって物品をＶ字溝３３ａ側に寄せるため、その寄せだけで十分な場合に対応させたものである。この実施形態でも、図３と同様な効果を奏することが確認されている。
【００５０】
図１１は、中央の分散フィーダＤＦの周りを取り囲むように、複数の搬送装置３を放射状に配列したものである。この実施形態では、図１１〜図１３に示すように、Ｗ字状の両側の外側壁３４ａ、３４ｂは、先端に行く程、平面視で扇状に広がり、側面視で先端部に向けて立ち上がる形状とし、かつ、隣り合う搬送トラフ３１の一方の側壁３４ｂ上部は、他方の搬送トラフ３１の側壁３４ａに覆いかぶさって、隣り合う搬送トラフ３１間から物品が零れ落ちないようになっている。
【００５１】
こうした構成は、複数のプールホッパPHを円周上に配列した組合せ計量装置の一般的な配置構成であるが、この実施形態でも、図３のフラットな床３６に倣って、搬送トラフ３１の始端部にフラットな扇状の床３６を設けている。また、各プールホッパＰＨに対して一つの計量ホッパＷＨが直下に配置される。そして、この実施形態では、中央の分散フィーダＤＦに物品を投入し、そこから放射状に配列された各搬送トラフ３１に物品を供給していく。
【００５２】
そして、この実施形態においても、搬送トラフ３１の横断面形状は、図１３に示すようにＷ字状に形成され、そのＷ字状の２つのＶ字溝３３ａ、３３ｂが、それぞれのＶ字溝３３ａ、３３ｂ内に小さい種類の物品Ｓを留めておく深さｄに形成され、かつ、それぞれの外側壁３４ａ、３４ｂが、両Ｖ字溝３３ａ、３３ｂを跨ぐような大きさの物品Ｌを両外側壁３４ａ、３４ｂ内に留めておく高さｈに形成されている。
【００５３】
以上の実施形態では、小さい物品と大きい物品の両極端の場合について説明したが、それらの中間の大きさの物品であっても、それらが工業的に量産された成形品であれば、同様に搬送できることは言うまでもない。
【符号の説明】
【００５４】
１      供給フィーダ  
２      傾斜シュート    
３      搬送装置
４      制御部
３１      搬送トラフ
３２      振動機構
３３ａ    Ｖ字溝
３３ｂ    Ｖ字溝
３４ａ    外側壁
３４ｂ    外側壁
３６      床
３６ｅ    排出エッジ
１００      組合せ計量装置
Ｓ      小さい物品
Ｌ      大きい物品
ＷＨａ    計量ホッパ
ＷＨｂ    計量ホッパ
【図１】
0003198972.tif 000003
【図２】
0003198972.tif 000004
【図３】
0003198972.tif 000005
【図４】
0003198972.tif 000006
【図５】
0003198972.tif 000007
【図６】
0003198972.tif 000008
【図７】
0003198972.tif 000009
【図８】
0003198972.tif 000010
【図９】
0003198972.tif 000011
【図１０】
0003198972.tif 000012
【図１１】
0003198972.tif 000013
【図１２】
0003198972.tif 000014
【図１３】
0003198972.tif 000015